(57)【要約】【課題】、サイズ（径）の異なる複数種類の収納物の側面をリッドで安定して支持できる車両用収納装置の提供。【解決手段】ボックス２０に設けられる収納部２１の開口を開閉するとともに収納部２１に収納される収納物Ｃの側面を支持するリッド３０を有する車両用収納装置１０であって、リッド３０は、ボックス２０に第１の回動軸芯Ｐ１まわりに回動可能に支持され収納部２１の開口の一部を開閉する第１のリッド３１と、ボックス２０に第２の回動軸芯Ｐ２まわりに回動可能に支持され収納部２１の開口の残りを開閉する第２のリッド３２と、を備える観音開きタイプとされており、収納部２１の開口のうち第１のリッド３１で開閉される面積が第２のリッド３２で開閉される面積より小とされている、車両用収納装置１０。【選択図】        図５
2012061871.tif 000002
【特許請求の範囲】
【請求項１】
ボックスに設けられる収納部の開口を開閉するとともに前記収納部に収納される収納物の側面を支持するリッドを有する車両用収納装置であって、
前記リッドは、前記ボックスに第１の回動軸芯まわりに回動可能に支持され前記収納部の開口の一部を開閉する第１のリッドと、前記ボックスに第２の回動軸芯まわりに回動可能に支持され前記収納部の開口の残りを開閉する第２のリッドと、を備える観音開きタイプとされており、
前記収納部の開口のうち前記第１のリッドで開閉される面積が前記第２のリッドで開閉される面積より小とされている、車両用収納装置。
【請求項２】
前記第１のリッドの閉状態にあるときにおける前記第２のリッド側の端部と、前記第２のリッドの閉状態にあるときにおける前記第１のリッド側の端部との少なくとも一方に、前記第１のリッドと前記第２のリッドとの間に隙間を形成する凹部が設けられている、請求項１記載の車両用収納装置。
【発明の詳細な説明】
【技術分野】
【０００１】
本発明は、リッドで収納物の側面を支持する（サポートする）車両用収納装置に関する。
【背景技術】
【０００２】
特開平９−３２３５７５号公報は、リッドの裏面側に細径カップの側面形状に沿う湾曲状に突出形成されてなると共に太径カップの底部を載置可能な支持部を有する、車両用収納装置を開示している。
【０００３】
しかし、従来の装置では、リッドの支持部にて細径カップの側面を安定して支持することはできるが、リッドが収納部の開口面積を複数段階に変更できる構成になっていないため、つぎの問題点がある。
細径カップよりも細径の収納物の側面を安定してリッドで支持することが困難である。また、細径カップよりも太径の収納物は支持部に載せられるだけであるため、細径カップよりも太径の収納物の側面を安定してリッドで支持することが困難である。よって、サイズ（径）の異なる複数種類の収納物の側面を安定してリッドで支持する（サポートする）ことが困難である。
【先行技術文献】
【特許文献】
【０００４】
【特許文献１】特開平９−３２３５７５号公報
【発明の概要】
【発明が解決しようとする課題】
【０００５】
本発明の目的は、サイズ（径）の異なる複数種類の収納物の側面をリッドで安定して支持できる車両用収納装置を提供することにある。
【課題を解決するための手段】
【０００６】
上記目的を達成する本発明はつぎの通りである。
（１）  ボックスに設けられる収納部の開口を開閉するとともに前記収納部に収納される収納物の側面を支持するリッドを有する車両用収納装置であって、
前記リッドは、前記ボックスに第１の回動軸芯まわりに回動可能に支持され前記収納部の開口の一部を開閉する第１のリッドと、前記ボックスに第２の回動軸芯まわりに回動可能に支持され前記収納部の開口の残りを開閉する第２のリッドと、を備える観音開きタイプとされており、
前記収納部の開口のうち前記第１のリッドで開閉される面積が前記第２のリッドで開閉される面積より小とされている、車両用収納装置。
（２）  前記第１のリッドの閉状態にあるときにおける前記第２のリッド側の端部と、前記第２のリッドの閉状態にあるときにおける前記第１のリッド側の端部との少なくとも一方に、前記第１のリッドと前記第２のリッドとの間に隙間を形成する凹部が設けられている、（１）記載の車両用収納装置。
【発明の効果】
【０００７】
上記（１）の車両用収納装置によれば、つぎの効果を得ることができる。
収納部の開口のうち第１のリッドで開閉される面積が第２のリッドで開閉される面積より小とされているため、第１のリッドのみを開けるときと、第２のリッドのみを開けるときと、第１のリッドと第２のリッドの両方を開けるときとで、収納部の開口面積を異ならせることができる。すなわち、２つのリッドの開閉を使い分けることで、収納部の開口面積を３段階に変更できる。そのため、サイズ（径）の異なる複数種類（３種類）の収納物の側面をリッドで安定して支持できる。
【０００８】
上記（２）の車両用収納装置によれば、つぎの効果を得ることができる。
凹部が設けられているため、第１のリッドのみを開けるときと、第２のリッドのみを開けるときと、第１のリッドと第２のリッドの両方を開けるときの３段階だけでなく、第１のリッドと第２のリッドの両方を閉じているときを加えた４段階に、収納部の開口面積を変更できる。そのため、サイズ（径）の異なる複数種類（４種類）の収納物の側面をリッドで安定して支持できる。
【図面の簡単な説明】
【０００９】
【図１】本発明実施例１の車両用収納装置の、第１、第２のリッドの両方が閉状態にあるときの斜視図である。
【図２】本発明実施例１の車両用収納装置の、第１のリッドが開状態にあり第２のリッドが閉状態にあるときの斜視図である。
【図３】本発明実施例１の車両用収納装置の、第１のリッドが閉状態にあり第２のリッドが開状態にあるときの斜視図である。
【図４】本発明実施例１の車両用収納装置の、第１、第２のリッドの両方が開状態にあるときの斜視図である。
【図５】本発明実施例１の車両用収納装置の、分解斜視図である。
【図６】本発明実施例１の車両用収納装置の、第１、第２のリッドの両方が閉状態にあるときに収納物を収納しているときの斜視図である。
【図７】図６の状態における断面図である。
【図８】本発明実施例１の車両用収納装置の、第１のリッドが開状態にあり第２のリッドが閉状態にあるときに収納物を収納しているときの斜視図である。
【図９】図８の状態における断面図である。
【図１０】本発明実施例１の車両用収納装置の、第１のリッドが閉状態にあり第２のリッドが開状態にあるときに収納物を収納しているときの斜視図である。
【図１１】図１０の状態における断面図である。
【図１２】本発明実施例１の車両用収納装置の、第１、第２のリッドの両方が開状態にあるときに収納物を収納しているときの斜視図である。
【図１３】図１２の状態における断面図である。
【図１４】本発明実施例１の車両用収納装置の変形例を示す、第１、第２のリッドの両方が閉状態にあるときの平面図である。
【図１５】本発明実施例２の車両用収納装置の、第１、第２のリッドの両方が閉状態にあり第１のリッドに凹部が設けられる場合の平面図である。
【図１６】本発明実施例２の車両用収納装置の、第１、第２のリッドの両方が閉状態にあり第２のリッドに凹部が設けられる場合の平面図である。
【図１７】本発明実施例３の車両用収納装置の、第１、第２のリッドの両方が閉状態にあるときの平面図である。
【発明を実施するための形態】
【００１０】
以下に、図１〜図１７を参照して、本発明実施例の車両用収納装置を説明する。
図１〜図１３は、本発明実施例１の車両用収納装置を示しており、図１４は、本発明実施例１の車両用収納装置の変形例を示しており、図１５、図１６は、本発明実施例２の車両用収納装置を示しており、図１７は、本発明実施例３の車両用収納装置を示している
本発明全実施例にわたって共通する部分には、本発明全実施例にわたって同じ符号を付してある。
【００１１】
[実施例１]（図１〜図１４）
まず、本発明実施例１を説明する。
本発明実施例１の車両用収納装置（以下、単に収納装置または装置ともいう）１０は、自動車の内装部材であるインストルメントパネル、コンソールパネル等に設けられ、飲料容器（カップ）、小物類等を収納可能な、装置である。
車両用内装装置１０は、図５に示すように、収納部２１を備えるボックス２０と、リッド３０と、を有する。
【００１２】
ボックス２０は、たとえば樹脂製である。ボックス２０は、一部品構成であってもよく、複数部品構成であってもよい。ボックス２０は、装置１０が配置される車両の内装部材に固定されている。ボックス２０は、車両の内装部材と一体に形成されていてもよく、車両の内装部材と別体に形成されて該内装部材に固定して取付けられていてもよい。
収容部２１は、上方に開放する。収容部２１は、ボックス２０の底壁２２と該底壁２２の全周から上方に立ち上がる四側の側壁２３とで形成される。
【００１３】
リッド３０は、収納部２１の開口を開閉するとともに収納部２１に収納される収納物Ｃの側面を支持する（保持する、サポートする）。リッド３０は、収納部２１に収納されたときに収納部２１から上方に突出する収納物Ｃの側面を支持する。
リッド３０は、ボックス２０に第１の回動軸芯Ｐ１まわりに回動可能に支持され収納部２１の開口の一部を開閉する第１のリッド３１と、ボックス２０に第２の回動軸芯Ｐ２まわりに回動可能に支持され収納部２１の開口の残りを開閉する第２のリッド３２と、を備える観音開きタイプである。第１、第２のリッド３１，３２は、互いに独立して開閉可能とされている。
【００１４】
両リッド３１，３２が閉位置３１ａ、３２ａにあるときにおける両リッド３１，３２のそれぞれの、第１、第２のリッド３１，３２が並ぶ方向の長さ（大きさ）は、図１に示すように、第１のリッド３１が第２のリッド３２より小とされている。すなわち、収納部２１の開口のうち第１のリッド３１で開閉される面積は、第２のリッド３２で開閉される面積より小とされている、
【００１５】
第１のリッド３１と第２のリッド３２は、それぞれ、閉位置３１ａ、３２ａにあるとき、上面（車室側面、おもて面）が周囲の車両内装部材と面一または略面一とされており装置１０の意匠性を高めている。また、第１のリッド３１と第２のリッド３２は、それぞれ、閉位置３１ａ、３２ａから９０度または略９０度回動した開位置３１ｂ、３２ｂにあるとき、図４に示すように、一部がボックス２０の収納部２１内に入り込んでおり、残りが収納部２１から上方に（車室内に）突出している。
【００１６】
第１のリッド３１と第２のリッド３２は、それぞれ、図５に示すように、インナ部材３３と、アウタ部材３４と、を備える。
第１のリッド３１と第２のリッド３２は、それぞれ、たとえばビス３５等を用いてインナ部材３３がボックス２０に回動可能に取付けられることで、ボックス２０に対して回動して開閉可能とされている。
【００１７】
インナ部材３３には、第１、第２の両リッド３１，３２が共に開位置３１ｂ、３２ｂにあるときに互いに対向し合う面に（裏面に、リッド閉位置にあるときの下面に、リッド閉位置にあるときにボックス底壁２２と対向する面に）、収納部２１に収納される収納物Ｃの側部の一部を受け入れると共に該収納物Ｃの側面を支持可能な凹面３３ａが設けられている。凹面３３ａは、ファーストフード店のラージサイズの飲料容器などの大径カップの側面に沿う湾曲面（円弧面）形状とされている。
アウタ部材３４は、インナ部材３３に固定して取付けられる。アウタ部材３４は、第１、第２のリッド３１，３２が閉位置３１ａ、３２ａにあるときのそれぞれのインナ部材３３の上面を覆っており、リッド３０の意匠性を向上させている。
【００１８】
第１のリッド３１と第２のリッド３２は、それぞれ、ターンオーバースプリングとして用いられるトーションスプリング３６にて、ボックス２０に対して、閉位置３１ａ、３２ａと開位置３１ｂ、３２ｂとの間のターンオーバー位置より閉位置３１ａ、３２ａ側にあるときには閉位置３１ａ、３２ａ側に付勢され、該ターンオーバー位置より開位置３１ｂ、３２ｂ側にあるときには開位置３１ｂ、３２ｂ側に付勢されている。なお、第１のリッド３１を付勢するスプリング３６は、一端部で第１の回動軸芯Ｐ１まわりに回動可能にボックス２０に支持されており、他端部で第１のリッド３１に回動可能に支持されている。また、第２のリッド３２を付勢するスプリング３６は、一端部で第２の回動軸芯Ｐ２まわりに回動可能にボックス２０に支持されており、他端部で第２のリッド３２に回動可能に支持されている。
【００１９】
第１、第２のリッド３１，３２は、それぞれ、閉位置３１ａ、３２ａに達したとき、一部がボックス２０に当接しており、それ以上ボックス２０に対して閉側に回動することが防止されている。また、第１、第２のリッド３１，３２は、それぞれ、開位置３１ｂ、３２ｂに達したとき、一部がボックス２０に当接しており、それ以上ボックス２０に対して開側に回動することが防止されている。なお、第１、第２のリッド３１、３２とボックス２０との当接打音を低減して装置１０の高級感を高めるために、開位置および／または閉位置にある第１のリッド３１とボックス２０とが当接しあう部位、開位置および／または閉位置にある第２のリッド３２とボックス２０とが当接し合う部位に、不織布、スポンジ等からなる当接音低減部材３７が設けられていてもよい。
【００２０】
図１に示すように、第１のリッド３１の閉位置３１ａにあるときにおける第２にリッド３２側の端部（先端部）と、第２のリッド３２の閉位置３２ａにあるときにおける第１のリッド３１側の端部（先端部）との両方に、第１のリッド３１と第２のリッド３２の両方が閉位置３１ａ、３２ａにあるときの第１、第２のリッド３１，３２間に隙間を形成する凹部３８が形成されている。
リッド３０が閉位置にあるときにおける凹部３８の平面視形状は、たとえば円弧形状である。ただし、図１４に示すように台形（矩形）等の多角形形状であってもよい。凹部３８は、たとえば第１、第２のリッド３１，３２の一方のみを開状態にすることで１９０ｍｌ缶などの比較的小径の収納物Ｃの側部の一部を受け入れると共に該収納物Ｃの側面を支持できる程度の径（形状）とされている。
【００２１】
ここで、本発明実施例１の作用を説明する。
本発明実施例１では、収納部２１の開口のうち第１のリッド３１で開閉される面積が第２のリッド３２で開閉される面積より小とされているため、第１のリッド３１のみを開けるときと、第２のリッド３２のみを開けるときと、第１のリッド３１と第２のリッド３２の両方を開けるときとで、収納部２１の開口面積を異ならせることができる。すなわち、２つのリッド３１，３２の開閉を使い分けることで、収納部２１の開口面積を３段階に変更できる。
【００２２】
詳しくは、（ａ）図２に示すように第１のリッド３１が開位置３１ｂにあり第２のリッド３２が閉位置３２ａにある場合、収納部２１の開口を比較的小さくすることができる。そのため、図８、図９に示すように、サイズ（径）が比較的小さい収納物Ｃ（たとえば薄型で幅広のメディアプレーヤ等）の側面をリッド３０で倒れることなく安定して支持できる。
また、（ｂ）図３に示すように第１のリッド３１が閉位置３１ａにあり第２のリッド３２が開位置３２ｂにある場合、収納部２１の開口を上記（ａ）の場合（第１のリッド３１が開位置３１ｂにあり第２のリッド３２が閉位置３２ａにある場合）よりも大きくすることができる。そのため、図１０、図１１に示すように、上記（ａ）の場合よりもサイズ（径）が大きい収納物Ｃ（たとえば３５０ｍｌ缶）の側面をリッド３０で倒れることなく安定して支持できる。
また、（ｃ）図４に示すように第１、第２のリッド３１，３２の両方が開位置３１ｂ、３２ｂにある場合、収納部２１の開口を上記（ｂ）の場合（第１のリッド３１が閉位置３１ａにあり第２のリッド３２が開位置３２ｂにある場合）よりも大きくすることができる。そのため、図１２、図１３に示すように、上記（ｂ）の場合よりもサイズ（径）が大きい収納物Ｃ（たとえばファーストフード店のラージサイズの飲料容器などの大径カップ）の側面をリッド３０で倒れることなく安定して支持できる。
したがって、サイズ（径）の異なる複数種類（３種類）の収納物Ｃの側面をリッド３０で安定して支持できる。
【００２３】
本発明実施例１では、さらに、凹部３８が設けられているため、第１のリッド３１のみを開けるときと、第２のリッド３２のみを開けるときと、第１のリッド３１と第２のリッド３２の両方を開けるときの３段階だけでなく（上記（ａ）、（ｂ）、（ｃ）の３段階だけでなく）、第１のリッド３１と第２のリッド３２の両方を閉じているときを加えた４段階に、収納部２１の開口面積を変更できる。
詳しくは、上記（ａ）、（ｂ）、（ｃ）の場合に加えて、（ｄ）図１に示すように第１、第２のリッド３１，３２の両方が閉位置３１ａ、３２ａにある場合、収納部２１の開口を上記（ａ）の場合（第１のリッド３１が開位置３１ｂにあり第２のリッド３２が閉位置３２ａにある場合）よりも小さくすることができる。そのため、図６、図７に示すように、上記（ａ）の場合よりもサイズ（径）が小さい収納物Ｃ（たとえば薄型で小型の携帯電話等）の側面をリッド３０で倒れることなく安定して支持できる。
したがって、サイズ（径）の異なる複数種類（４種類）の収納物Ｃの側面をリッド３０で安定して支持できる。
【００２４】
本発明実施例１では、リッド３０で収納物Ｃの側面を支持するため、収納物Ｃを支持するためだけの部材（サポート、サポートアーム）は不要である。そのため、該部材を要する場合に比べて部品点数を削減できる。また、該部材を要する場合に比べて収納物Ｃの側面を上方位置で支持できる。また、リッド３０開状態での装置１０の意匠を向上させることができる。
【００２５】
本発明実施例１では、開閉のいずれかの位置にあるリッド３０で収納物Ｃの側面を支持するため、開閉途中にあるリッド３０で収納物Ｃの側面を支持することを無くすことができる。そのため、支持している収納物Ｃによってリッド３０が押されてボックス２０に対して動いてしまうことを抑制できる。そのため、リッド３０による収納物Ｃの側面支持性能上有利である。
【００２６】
[実施例２]（図１５，１６）
つぎに、本発明実施例２について説明する。
なお、以下、本発明実施例２では、本発明実施例１と異なる部分のみを説明し、本発明実施例１と同じか略同じ部分についてはその説明を省略する。
【００２７】
本発明実施例２では、本発明実施例１と異なり、凹部３８が第１のリッド３１と第２のリッド３２のいずれか一方のみに形成されている。なお、図１５は、凹部３８が第１のリッド３１のみに形成される場合を示しており、図１６は、凹部３８が第２のリッド３２のみに形成される場合を示している。
【００２８】
[実施例３]（図１７）
つぎに、本発明実施例３について説明する。
なお、以下、本発明実施例３では、本発明実施例１と異なる部分のみを説明し、本発明実施例２と同じか略同じ部分についてはその説明を省略する。
【００２９】
本発明実施例３では、本発明実施例１と異なり、凹部３８が第１、第２のリッド３１，３２の一方のみに形成されており、第１、第２のリッド３１，３２の他方に該凹部３８内に張り出す張り出し部３９が設けられている場合を示している。
【００３０】
本発明実施例３では、第１、第２のリッド３１，３２の一方に凹部３８が設けられているが第１、第２のリッド３１，３２の他方に張り出し部３９が設けられているため、第１、第２のリッド３１，３２の両方が閉位置３１ａ、３２ａにあるときには収納部２１の開口が両リッド３１、３２で塞がれるため収納部２１に収納物Ｃを収納することができず該収納物Ｃの側面をリッド３０で支持することはできない。
なお、張り出し部３９の少なくとも一部を上方に膨らませる（突出させる）ことで、張り出し部３９をリッド３０を開閉操作する際の「取っ手」として使用することができる。
【符号の説明】
【００３１】
１０  車両用収納装置
２０  ボックス
２１  収納部
３１  第１のリッド
３１ａ  第１のリッドの閉位置
３１ｂ  第１のリッドの開位置
３２  第２のリッド
３２ａ  第２のリッドの閉位置
３２ｂ  第１のリッドの開位置
３３  インナ部材
３４  アウタ部材
３５  ビス
３６  スプリング
３７  当接音低減部材
３８  凹部
３９  張り出し部
Ｃ  収納物
Ｐ１  第１の回動軸芯
Ｐ２  第２の回動軸芯
【図１】
2012061871.tif 000003
【図２】
2012061871.tif 000004
【図３】
2012061871.tif 000005
【図４】
2012061871.tif 000006
【図５】
2012061871.tif 000007
【図６】
2012061871.tif 000008
【図７】
2012061871.tif 000009
【図８】
2012061871.tif 000010
【図９】
2012061871.tif 000011
【図１０】
2012061871.tif 000012
【図１１】
2012061871.tif 000013
【図１２】
2012061871.tif 000014
【図１３】
2012061871.tif 000015
【図１４】
2012061871.tif 000016
【図１５】
2012061871.tif 000017
【図１６】
2012061871.tif 000018
【図１７】
2012061871.tif 000019